(57)【特許請求の範囲】
【請求項１】
鉛筆芯、シャープペンシル芯、ボールペン用リフィール等の筆記体を保持し筆記可能とする筆記体保持物において、
軸方向に沿って中心孔が貫通形成された肉厚筒状の保持部を有し、
当該保持部は、外形が少なくとも先端部から軸方向中央部に掛けての前部を後拡がりの円錐側面形状に形成し、かつ外周部から中心孔までスリット部を切り込み形成したものであって、
前記保持部の軸方向中央部から後端面にかけての外形は、スリット部を挟んだ両面に平坦面を形成しており、
前記筆記体を前記中心孔に挿入することによって保持部に保持して筆記可能なものであることを特徴とする筆記体保持物。
【請求項２】
前記スリット部の切り込みは、先端面と中央部との間の箇所から後端面にかけて切り込み形成をした請求項１記載の筆記体保持物。
【請求項３】
前記中央部の外周面は、前記中心孔に挿入した状態の筆記体の軸線を中心とする円筒側面形状に形成したことを特徴とする請求項１または２に記載の筆記体保持物。
【請求項４】
保持部の材質は弾性のある樹脂製であること請求項１から３のうちの１項に記載の筆記体保持物。
【発明の詳細な説明】
【技術分野】
【０００１】
本発明は、鉛筆芯、シャープペンシル芯、ボールペン用リフィール等の筆記体を保持し、筆記可能にする筆記体保持物に関する。
【背景技術】
【０００２】
従来、筆記により短くなり、使い難くなった鉛筆を使用するために円筒状の軸に鉛筆を挿入し、前記円筒状の軸に係止させることで短くなった鉛筆を使用可能とする鉛筆ホルダーが開示されている（例えば、実開昭５７−４３７９号：特許文献１参照）。
【０００３】
現在、筆記に使用する筆記体は鉛筆以外にもシャープペンシル、ボールペンなどが一般化しており、シャープペンシルの芯やボールペンのリフィールは取り替え可能なため、それぞれ単体で販売されている。それらを使用するためには、繰出し機構を備えたシャープペンシル本体やリフィールを収納して筆記可能にするボールペン軸本体を使用するのが一般的である。
【０００４】
しかしながら、シャープペンシル本体やボールペン軸は繰出し機構やノック機構などを備えるため、ある程度価格が高くなり、購入の初期投資が必要になる。また、鉛筆に関しても削るための器具が必要である。
【０００５】
また、部品構成や組み立て性の改善でシャープペンシルの芯やボールペンは大きくコストダウンされているものの、シャープペンシルの芯やボールペンリフィールをより安価に簡便に使用できる、低コストで生産可能で、低価格で提供できる筆記体が常に求められていた。
【先行技術文献】
【特許文献】
【０００６】
【特許文献１】実開昭５７−４３７９号公報
【発明の概要】
【発明が解決しようとする課題】
【０００７】
本発明は、斯かる実情に鑑み、シャープペンシルの芯やボールペンリフィールを簡単な構成かつ最小限のコストで筆記可能とする筆記体保持物を提供しようとするものである。
【課題を解決するための手段】
【０００８】
本発明は筆記体保持物にかかるものである。
【０００９】
本発明は、鉛筆芯、シャープペンシル芯、ボールペン用リフィール等の筆記体を保持し筆記可能とする筆記体保持物において、
軸方向に沿って中心孔が貫通形成された肉厚筒状の保持部を有し、
当該保持部は、外形が少なくとも先端部から軸方向中央部に掛けての前部を後拡がりの円錐側面形状に形成し、かつ外周部から中心孔までスリット部を切り込み形成したものであって、
前記保持部の軸方向中央部から後端面にかけての外形は、スリット部を挟んだ両面に平坦面を形成しており、
前記筆記体を前記中心孔に挿入することによって保持部に保持して筆記可能なものであることを特徴とする筆記体保持物である。
【００１０】
本発明において、スリット部の位置は、先端面と中央部との間の箇所から後端面にかけて切り込み形成することが特に好適である。
【００１１】
本発明において、前記中央部の外周面は、前記中心孔に挿入した状態の筆記体の軸線を中心とする円筒側面形状に形成したことが好適である。
【００１４】
また、本発明において、保持部の材質は弾性のある樹脂製であることが好適である。
【発明の効果】
【００１５】
本発明の筆記体保持物によれば、軸方向に沿って中心孔が貫通形成された肉厚筒状の保持部を、外形が少なくとも先端部から軸方向中央部に掛けての前部を後拡がりに拡径した形状に形成し、先端面と中央部との間の箇所から後端面にかけて外周部から中心孔までスリット部を切り込み形成したものであって、前記筆記体を前記中心孔に挿入することによって保持部に保持して筆記可能にしたので、先端部にスリット部を形成せず、挿入した筆記体先端部をガタつかなく保持できるため、筆記時の安定性が確保できる。
【００１６】
また、材質に樹脂を選定することで、筆記体の表面を傷つけずに保持できる。
【００１７】
さらに、保持部と共に、中空の軸筒状体の前端部に前記後部を挿入することで持ちやすくして容易な筆記を可能にできる。この軸筒状体には、パイプや紙またはシートを巻いた筒状体を用いることができる。
【００１８】
なお、前記中央部の外周面は、前記中心孔に挿入した状態の筆記体の軸線を中心とする円筒側面形状に形成したことによって、中央部の外周面が滑らかな形状になり、筆記時に持ちやすい。
【００１９】
また、保持部の軸方向中央部から後端面にかけての外形は、スリット部を挟んだ両面に平坦面を形成したものにすれば、保持部後部を摘んで筆記することができ、簡単な構成にできる。
【００２０】
また、保持部の材質を弾性のある樹脂製とすれば、筆記体を樹脂の弾性力によって確実に挟持して筆記体を保持部に対して滑らせることがなく、確実かつ安定した筆記ができる等の優れた効果を奏し得る。
【図面の簡単な説明】
【００２１】
【図１】本発明の実施形態１に係る筆記体保持物の説明図であって、（ａ）は（ｅ）のＡ−Ａ線に沿う断面図、（ｂ）は側面図、（ｃ）はスリット側から見た側面図、（ｄ）は（ｅ）のＤ−Ｄ線に沿う断面図、（ｅ）は先端面側から見た図、（ｆ）は後端面側から見た図である。
【図２】実施形態１に係る筆記体保持物の説明図で、（ａ）が先方側から見た斜視図、（ｂ）が後方側から見た斜視図である。
【図３】実施形態１に係る筆記体保持物の保持部の説明図であって、（ａ）は（ｅ）のＡ−Ａ線に沿う断面図、（ｂ）はスリット部側から見た側面図、（ｃ）は別の側から見た側面図、（ｄ）は（ｅ）のＤ−Ｄ線に沿う断面図、（ｅ）は先端面側から見た図、（ｆ）は後端面側から見た図、（ｇ）が先方側から見た斜視図、（ｈ）が後方側から見た斜視図である。
【図４】実施形態１に係る筆記体保持物の保持部の変形例の説明図であって、（ａ）は（ｅ）のＡ−Ａ線に沿う断面図、（ｂ）はスリット部から見た側面図、（ｃ）は別の側から見た側面図、（ｄ）は（ｅ）のＤ−Ｄ線に沿う断面図、（ｅ）は先端面側から見た図、（ｆ）は後端面側から見た図、（ｇ）が先方側から見た斜視図、（ｈ）が後方側から見た斜視図である。
【図５】本発明の実施形態２に係る筆記体保持物の説明図であって、（ａ）はスリット部側から見た側面図、（ｂ）は別の側からの側面図、（ｃ）は（ｄ）のＣ−Ｃ線に沿う断面図、（ｄ）は先端面側から見た図、（ｅ）は後端面側から見た図である。
【図６】実施形態２に係る筆記体保持物の説明図で、（ａ）が先方側から見た斜視図、（ｂ）が後方側から見た斜視図である。
【図７】実施形態２に係る筆記体保持物の保持部の説明図であって、（ａ）は（ｅ）のＡ−Ａ線に沿う断面図、（ｂ）はスリット部側から見た側面図、（ｃ）は別の側から見た側面図、（ｄ）は（ｅ）のＤ−Ｄ線に沿う断面図、（ｅ）は先端面側から見た図、（ｆ）は後端面側から見た図である。
【図８】図７の保持部の説明図であって、（ａ）が後方側から見た斜視図、（ｂ）および（ｃ）が先方側から見た別角度の各斜視図である。
【図９】実施形態２に係る筆記体保持物の変形例の説明図で、（ａ）が後方側から見た斜視図、（ｂ）および（ｃ）が先方側から見た別角度の各斜視図である。
【発明を実施するための形態】
【００２２】
以下、本発明の実施形態について、添付図面を参照して説明する。
【００２３】
図１〜図４は、本発明の実施形態１に係る筆記体保持物の説明図である。
【００２４】
図１〜図４に示すように、実施形態１に係る筆記体保持物１０は、鉛筆芯、シャープペンシル芯、ボールペン用リフィール等の筆記体１２を保持し筆記可能とするものである。
【００２５】
筆記体保持物１０は、軸１０ａ方向に沿って中心孔１４が先端部１６ａから後端部１６ｂにわたって貫通形成された肉厚筒状の保持部１６を有し、当該保持部１６は、外形が先端部１６ａから軸方向中央部１６ｃにかけての前部を後拡がりに拡径した円錐側面形状、かつ、軸方向中央部１６ｃから後端部１６ｂに掛けての後部が後細りの円錐側面形状に形成し、先端面と中央部１６ｃとの間の箇所から後端面にかけて外周部から中心孔１４までスリット部１８を切り込み形成したものである。保持部１６は、縦断面形状が概略菱形を呈している。
【００２６】
前記スリット部１８は、図１〜図３に示すように、先端部１６ａの一部を残した状態で中心孔１４から外周に亘って照射状かつ平坦に一箇所形成されていて、成形時に金型を抜き易くしている。
【００２７】
前記筆記体１２を前記保持部１６の中心孔１４に挿入することによって保持部１６に保持して筆記可能にする筆記体保持物１０である。
【００２８】
ここで、前記保持部１６の軸方向中央部１６ｃの外周面は、前記中心孔１４に挿入した状態の筆記体１２の軸線を中心とする円筒側面形状に形成したものである。
【００２９】
また、保持部１６のみを筆記体保持物として、使用者が保持部１６外周を指先で摘んで筆記に使用できるが、実施形態１では、図３に詳細に示すように、保持部１６の軸方向中央部から後端面にかけての後部外形は、円錐側面形状に形成し、図１〜図２に示すように、使用者が把持するための中空の軸筒状体２０の前端部に前記保持部１６の後部を嵌め込んで筆記可能にしたものである。
【００３０】
なお、保持部１６の材質は弾性のある樹脂製である。樹脂としては、ポリエチレン（ＰＥ）、プリプロピレン（ＰＰ）、ポリ塩化ビニール（ＰＶＣ）、ＡＢＳ樹脂等適宜の材質の樹脂で構成することができる。また、軸筒状体２０の材質は、樹脂製または金属製その他とすることができる。
また、筆記体１２には、鉛筆芯の他、シャープペンシル芯、ボールペンリフィール等がある。また、軸筒状体２０には、パイプ、巻紙、穴の開いた適宜形状の部材を用いることができる。軸筒状体２０がパイプの場合は、パイプの両端に保持部１６を装着することができる。
【００３１】
次に、実施形態１の筆記体保持物１０の保持部１６の変形例を図４に示している。
【００３２】
この変形例では、スリット部１８が周方向に等角度間隔で３箇所形成されているものである。その他は、図３のものと同様のため、同様部分に同一の符号を付している。
【００３３】
この変形例に係る保持部１６では、軸１０ａ方向に沿って幅狭く切り欠いたスリット部１８を３箇所形成しているので、上記軸筒状体２０前端部に前記保持部１６の後部を嵌め込んだときに、容易に保持部１６の後部が内径方向に変形して強い力で筆記体１２を締め付けることができる。
【００３４】
なお、スリット部１８の形成数は１箇所や３箇所のほか、適宜数の箇所設けることができる。筆記体１２を確実に保持する観点からスリット部１８は３箇所以上が望ましい。
【００３５】
次に本発明の実施形態２に係る筆記体保持物１０を図５〜図８によって説明する。
【００３６】
実施形態２の筆記体保持物では、保持部２２の軸方向中央部２２ｃから後端部２２ｂに掛けての外形は、スリット部１８を挟んだ両面に平坦面２４を形成したものである。
【００３７】
そして、保持部２２は先端部２２ａから中央部２２ｃにかけて円錐側面形状で、先端部２２ａから後端部２２ｂにわたって、中心孔１４が貫通形成されている。また、外周部からその中心孔１４上には、スリット部１８が軸方向に先端部２２ａから中央部２２ｃとの間の位置から後端部２２ｂにわたって切り込み形成されている。保持部２２の平坦面２４は中央部２２ｃ外形よりややえぐり込んで段差を持って形成されると共に、別側面（９０°位置がずれた側面）でスリット部１８の露出する側面２６も平坦に形成されている。
【００３８】
上記保持部２２は後部の両平坦部２４、２４を摘んで筆記することができ簡単な構成にできる。
【００３９】
また、図５〜図６に示すように、使用者が把持するための中空の軸筒状体２８の前端部に前記保持部２２の後部を嵌め込んで筆記可能にしたものである。なお、この軸筒状体２８は横断面が矩形のものとしており、指になじみやすく、かつ机上で転がりにくくしている。
【００４０】
また、実施形態２の筆記体保持物の変形例は、図９に示すように、保持部２２の後部が後方に長く延びて、軸部３０を形成しているものである。軸部３０にはスリット部１８が後端部まで形成されている。この変形例に係る筆記体保持物では、そのままで軸部３０を握って使用でき、便利である。
【００４１】
上記の実施形態１〜２の筆記体保持物によれば、前記筆記体を前記中心孔に挿入することによって保持部１６、２２に保持して筆記可能にしたので、先端部１６ａ、２２ａにスリット部１８を形成せず、挿入した筆記体１２先端部をガタつかなく保持できるため、筆記時の安定性が確保できる。
【００４２】
また、材質に樹脂を選定することで、筆記体１２の表面を傷つけずに保持できる。
【００４３】
さらに、保持部１６、２２と共に、中空の軸筒状体２０、２８の前端部に前記後部を挿入することで持ちやすくして容易な筆記を可能にできる。この軸筒状体２０、２８には、パイプや紙またはシートを巻いた筒状体を用いることができる。
【００４４】
なお、軸筒状体２０、２８の中央部２０ｃ、２８ｃの外周面は、前記中心孔１４に挿入した状態の筆記体１２の軸線を中心とする円筒側面形状に形成することによって、外周部が滑らかかつ平坦な形状になり、筆記時に持ちやすい。
【００４５】
また、保持部１６、２２の軸方向中央部から後端面にかけての外形は、スリット部１８を挟んだ両面に平坦面２４を形成したものにすれば、保持部１６、２２の後部を摘んで筆記することができ、簡単な構成にできる。
【００４６】
また、保持部１６、２２の材質を弾性のある樹脂製とすれば、筆記体１２を樹脂の弾性力によって確実に挟持して筆記体１２を保持部１６、２２に対して滑らせることがなく、確実かつ安定した筆記ができる等の優れた効果を奏し得る。
【産業上の利用可能性】
【００４７】
本発明の筆記体保持物は、机上で筆記具として使用する他、スポーツ時等携帯に邪魔にならない筆記具として利用することができる。
【符号の説明】
【００４８】
１０  筆記体保持物
１０ａ  軸
１２  筆記体
１４  中心孔
１６  保持部
１６ａ  先端部
１６ｂ  後端部
１６ｃ  中央部
１８  スリット部
２０  軸筒状体
２２  保持部
２２ａ  先端部
２２ｂ  後端部
２２ｃ  中央部
２４  平坦面
２６  側面
２８  軸筒状体
３０  軸部
【図１】
0005495667.tif 000002
【図２】
0005495667.tif 000003
【図３】
0005495667.tif 000004
【図４】
0005495667.tif 000005
【図５】
0005495667.tif 000006
【図６】
0005495667.tif 000007
【図７】
0005495667.tif 000008
【図８】
0005495667.tif 000009
【図９】
0005495667.tif 000010